(57)【特許請求の範囲】
【請求項１】
サッシを取り付けた壁パネルにサイディングを取り付け、同サッシとサイディングとの間を防水するサッシとサイディングの取り合い構造において、
前記サッシと前記壁パネル間にケーシング受け材を取り付け、同ケーシング受け材の前記サッシと接触する部位及びサイディングの裏面と接触する部位に水密材を貼着すると共に、前記ケーシング受け材と前記サイディングのサネの表面と接触する部位に水密材を貼着したケーシング材とで前記サイディングのサネを挟み込むようにして前記ケーシング材を前記ケーシング受け材に取り付けてなることを特徴とするサッシとサイディングの取り合い構造。
【請求項２】
前記ケーシング受け材に前記サッシ上からの雨水を流す樋機能を持たせてなることを特徴とする請求項１記載のサッシとサイディングの取り合い構造。
【請求項３】
前記ケーシング受け材の上下端の前記サッシの上下天端に合わせた位置にツバを設けてなることを特徴とする請求項１記載のサッシとサイディングの取り合い構造。
【発明の詳細な説明】
【０００１】
【発明の属する技術分野】
本発明は、サッシが取り付けられている壁パネルにサイディングを取り付けるに際し、サッシとサイディングの取り合い部の見栄えを良くすると共に、サッシとサイディングとの間の防水性を向上させることができるサッシとサイディングの取り合い構造に関するものである。
【０００２】
【従来の技術】
従来のサッシとサイディングの取り合い構造は、図８に示すようにサッシ３１が取り付けられている壁パネル３２に胴縁３３を介してサイディング３４を取り付け、このサイディング３４とサッシ３１との間に湿式もしくは乾式シール材３５を充填して、サッシ３１とサイディング３４の取り合い部の防水処理を行っており、湿式もしくは乾式シール材３５が表面に露出するようになっている。
【０００３】
しかしながら、上記のような取り合い構造によると、サイディング３４の目地と湿式もしくは乾式シール材３５の質感の違いによる意匠性の悪さ、サイディング３４と同色のシール材３５の必要性、湿式シール材３５の場合のバックアップ材、プライマー、マスキングテープ、シーリング充填及びならしの手間、もしくは乾式シール材３５の場合の下地、捨てシール材充填、乾式シールの手間等の作業性の悪さ、メンテナンスの困難さ、サッシ上からの雨水による汚れ等多くの問題を含んでいる。
【０００４】
【発明が解決しようとする課題】
本発明の課題は、サッシとサイディングの納まりを良くし、意匠性の向上を図ることができると共に、防水性の向上を図ることができるサッシとサイディングの取り合い構造を提供することにある。
本発明のもう一つの課題は、施工及びメンテナンスの簡略化をはかることができるサッシとサイディングの取り合い構造を提供することにある。
本発明の更なる課題は、シール材の色に対しての制約を無くし、その管理を容易化してコストダウンを図ることができるサッシとサイディングの取り合い構造を提供することにある。
【０００５】
【課題を解決するための手段】
上記した課題を解決するため、本発明に係るサッシとサイディングの取り合い構造は、サッシを取り付けた壁パネルにサイディングを取り付け、同サッシとサイディングとの間を防水するサッシとサイディングの取り合い構造において、前記サッシと前記壁パネル間にケーシング受け材を取り付け、同ケーシング受け材の前記サッシと接触する部位及びサイディングの裏面と接触する部位に水密材を貼着すると共に、前記ケーシング受け材と前記サイディングのサネの表面と接触する部位に水密材を貼着したケーシング材とで前記サイディングのサネを挟み込むようにして前記ケーシング材を前記ケーシング受け材に取り付けてなることを特徴とするもので、水密材を圧着し、しかも表面に露出させることなくサイディングを取り付けることができるため、防水性の向上を図りながらサッシとサイディングの納まりを良くして、サイディングを取り付けることができる。
【０００６】
また、本発明に係るサッシとサイディングの取り合い構造は、前記ケーシング受け材に前記サッシ上からの雨水を流す樋機能を持たせてなることを特徴とするもので、ケーシング受け材に樋機能を持たせることにより、サッシ上からの雨水を壁面から離して流す事が出来るため、壁面の汚れを防ぐことができる。
【０００７】
更に、本発明に係るサッシとサイディングの取り合い構造は、前記ケーシング受け材の上下端の前記サッシの上下天端に合わせた位置にツバを設けてなることを特徴とするもので、壁パネルとサイディング裏面との防水及びサイディング表面とケーシング材間の防水に合わせて、ケーシング受け材の上下端のツバによってもサッシとサイディング間を防水することができる。
【０００８】
【発明の実施の形態】
以下に本発明の実施の形態を図１乃至図７に基づいて説明する。
図１は本発明の実施形態に係るサッシとサイディングの取り合い構造の構成を示す横断面納まり図、図２はそのケーシング受け材とケーシング材の取り付け状態を示す横断面図、図３はケーシング受け材の構成図、図４はケーシング材の構成図、図５はケーシング受け材とケーシング材との取り付け構成図、図６，７はサッシとサイディングの取り合い構造の取り付け順序を示す図である。
【０００９】
図中において、１は壁パネルであり、開口を設けることによりサッシ２が納められている。
この壁パネル１の外面側に胴縁３を介してサイディング４が取り付けられており、このサイディング４とサッシ２との間にケーシング受け材５とケーシング材６とを取り付けることによって防水処理を施すようにしている。
【００１０】
ケーシング受け材５は、図３に示すように樋状の本体部分５ａと、ケーシング材６を取り付ける段付き部分５ｂと、サイディング４の裏面を受ける受面部分５ｃと、壁パネル１に対しての取り付け部分５ｄと、上下端にサッシ２の上下天端に合わせて設けられたツバ５ｅ、５ｆとを有しており、このケーシング受け材５は、サッシ２と壁パネル１との間に、サッシ２と接触する部位に貼着されたブチルテープ等よりなる水密材７をサッシ２に押し付けることにより、木ネジ８を介して壁パネル１に取り付けられるようになっている。
【００１１】
また、ケーシング材６は、図４に示すようにシール部分を被うためのカバー部分６ａと、サイディング４のサネ部分を表面側から押さえる押さえ部分６ｂと、ケーシング受け材５の段付き部分５ｂにテクスビス９を介してケーシング材６を取り付けるフランジ部分６ｃとを有しており、このケーシング材６によりケーシング受け材５の受面部分５ｃとの間で、それぞれエプトシーラ等の水密材１０を介装してサイディング４のサネ部分を挟み、エプトシーラ等の水密材１０を押しつぶすようにテクスビス９を締めつけることによって、水密材１０を圧着して止水すると共に、水密材１０を隠すことができるよう構成されている。
【００１２】
ケーシング材６はケーシング受け材５に対して、図２に示すようにテクスビス９を介して取り付けられ、図５に示すように一体的に結合されるようになっており、ケーシング受け材５のサッシ２と接触する部位及びサイディング４の裏面を受ける受面部分５ｃの部位と、ケーシング材６のサイディング４のサネ部分を押さえる押さえ部分６ｂの部位には、それぞれ上記した水密材７、１０が予め貼着されて構成される。
なお、ケーシング材６はメンテナンス時にテクスビス９を取り外すことによって、簡単に交換できるようになっている。
【００１３】
図６はその取り付け順序を示すもので、先ず（Ａ）に示すように壁パネル１とサッシ２との間にケーシング受け材５を、水密材７をサッシ２に押しつけるようにして木ネジ８により壁パネル１に取り付ける。
次に、（Ｂ）に示すように胴縁３を介して側面のサイディング４をケーシング受け材５の受面部分５ｃの水密材１０を押しつぶすように取り付ける。
【００１４】
更に、（Ｃ）に示すようにサッシ２の上下部のフィン上に水密材１０を取り付け、この水密材１０を押しつぶすようにして、図７（Ｄ）に示すようにサッシ２の上下部のサイディング４を取り付ける。
しかる後、（Ｅ）に示すようにサイディング４のサネ部分とケーシング材６により、水密材１０を押しつぶすようにしてケーシング材６をケーシング受け材５にテクスビス９介して取り付けることによって、（Ｆ）に示すように取り付けを完成することができる。
【００１５】
しかして、上記の実施形態によると、ケーシング材６によりサイディング４のサネ部分を押さえ込むことにより、水密材１０を圧着して止水すると共に、水密材１０を隠すようにし、同時にサイディング４の目地を生かすようにしているため、防水性の向上を図ることができると共に、サッシ２とサイディング４の納まりを良くし、意匠性の向上を図ることができる。
また、水密材１０が表面に露出しないため、その色をサイディング４に合わせる必要がなく、水密材１０の色を一色にして共通化することができ、色に対しての制約を無くし、その管理を容易化してコストダウンを図ることができる。
【００１６】
更に、ケーシング受け材５とケーシング材６の２パーツでサイディング４を挟み込むようにして、サイディング４を取り付けているため、メンテナンス時には１パーツの交換だけで済むと共に、ケーシング受け材５及びケーシング材６に樋機能を持たせているため、雨水をこの樋中を通し壁面から離して落とすことができるので、サッシ上からの雨水による壁面の汚れを防止することができる。
また、ケーシング受け材５の上下端のサッシ２の上下天端に合わせた位置にツバ５ｅ、５ｆを設けいるため、壁パネル１とサイディング４裏面との防水及びサイディング４表面とケーシング材６間の防水に合わせて、ケーシング受け材５の上下端のツバ５ｅ、５ｆによってもサッシ２とサイディング４間を防水することができる。
【００１７】
【発明の効果】
以上に説明したように、本発明に係るサッシとサイディングの取り合い構造によると、ケーシング受け材とケーシング材とにより、サイディングのサネ部分を挟み押さえ込むようにして取り付けることができるため、水密材を圧着して止水し、しかも表面に露出させることなくサイディングを取り付けることができる。このため、サッシとサイディングの納まりを良くし、意匠性の向上を図ることができると共に、防水性の向上を図ることができる。
また、シール部分の施工及びメンテナンスを従来の湿式あるいは乾式シール方式に比べ大幅に簡略化することができると共に、水密材が表面に露出せず、色をサイディングに合わせる必要がなくなるため、シール材の色に対しての制約を無くし、その管理を容易化してコストダウンを図ることができる。
更に、ケーシング受け材の上下端にツバを設けることによっても、サッシとサイディング間を防水することができる。
【図面の簡単な説明】
【図１】本発明の実施形態に係るサッシとサイディングの取り合い構造の構成を示す横断面納まり図である。
【図２】本発明の実施形態に係るサッシとサイディングの取り合い構造のケーシング受け材とケーシング材の取り付け状態を示す横断面図である。
【図３】本発明の実施形態に係るサッシとサイディングの取り合い構造のケーシング受け材の構成図である。
【図４】本発明の実施形態に係るサッシとサイディングの取り合い構造のケーシング材の構成図である。
【図５】本発明の実施形態に係るサッシとサイディングの取り合い構造のケーシング受け材とケーシング材の取り付け構成図である。
【図６】本発明の実施形態に係るサッシとサイディングの取り合い構造のサッシとサイディングの取り付け順序（Ａ）〜（Ｃ）を示す図である。
【図７】本発明の実施形態に係るサッシとサイディングの取り合い構造のサッシとサイディングの取り付け順序（Ｄ）〜（Ｆ）を示す図である。
【図８】従来のサッシとサイディングの取り合い構造の構成を示す横断面納まり図である。
【符号の説明】
１  壁パネル
２  サッシ
４  サイディング
５  ケーシング受け材
５ｅ、５ｆ  ツバ
６  ケーシング材
７  水密材
１０  水密材
【図１】
0003698813.tif 000002
【図２】
0003698813.tif 000003
【図３】
0003698813.tif 000004
【図４】
0003698813.tif 000005
【図５】
0003698813.tif 000006
【図６】
0003698813.tif 000007
【図７】
0003698813.tif 000008
【図８】
0003698813.tif 000009